(57)【要約】【課題】ブリーダ電流を有効利用しつつブリーダ電流を流す期間の延長を図る。【解決手段】点灯装置１は、交流電圧から整流された入力電圧Ｖ１を直流電圧に変換し、直流電圧をＬＥＤモジュール２に出力する点灯回路１０と、入力電圧Ｖ１の導通角を検出し、導通角に対応した調光信号Ｓ１を出力する検出回路１２とを備える。点灯装置１は、点灯回路１０からＬＥＤモジュール２に供給する負荷電流Ｉｏを調光信号Ｓ１に応じて調整するように点灯回路１０を制御する制御回路１３を備える。点灯装置１は、制御回路１３が動作するために必要な制御電圧Ｖccを入力電圧Ｖ１から生成する制御電源回路１４と、ブリーダ電流Ｉｂを流すブリーダ回路１５とを備える。ブリーダ回路１５は、入力電圧Ｖ１が制御電圧Ｖccを下回っているときにブリーダ電流Ｉｂを流す。【選択図】        図１
2020140903.tif 000002
【特許請求の範囲】
【請求項１】
交流電圧から整流された入力電圧を直流電圧に変換し、前記直流電圧を光源に出力する点灯回路と、
前記入力電圧の導通角を検出し、前記導通角に対応した調光信号を出力する検出回路と、
前記点灯回路から前記光源に供給する負荷電流を前記調光信号に応じて調整するように前記点灯回路を制御する制御回路と、
前記制御回路が動作するために必要な制御電圧を前記入力電圧から生成する制御電源回路と、
ブリーダ電流を流すブリーダ回路と、
を備え、
前記ブリーダ回路は、前記入力電圧が前記制御電圧を下回っているときにブリーダ電流を流す、
点灯装置。
【請求項２】
前記制御電源回路は、
電圧制御型の半導体スイッチング素子と、
前記入力電圧が所定の下限値以上のときに前記下限値に等しい電圧を前記半導体スイッチング素子に印加して前記半導体スイッチング素子をオンさせる制御素子と、
を有し、
前記ブリーダ回路は、前記入力電圧が前記制御電圧を下回ったときに前記半導体スイッチング素子に印加する電圧を上昇させて前記半導体スイッチング素子をオンさせる、
請求項１記載の点灯装置。
【請求項３】
前記ブリーダ回路は、
前記制御電源回路に対して電気的に並列接続されたスイッチング素子と、
前記入力電圧が前記制御電圧を下回ったときに前記スイッチング素子をオンするコンパレータと、
を有する、
請求項１記載の点灯装置。
【請求項４】
請求項１〜３のいずれかの点灯装置と、
前記点灯装置によって点灯させられる光源と、
少なくとも前記光源を保持する器具本体と、
を備える、
照明器具。
【発明の詳細な説明】
【技術分野】
【０００１】
本開示は、点灯装置及び照明器具に関し、より詳細には、位相制御方式の調光器に接続可能な点灯装置及び当該点灯装置を備える照明器具に関する。
【背景技術】
【０００２】
従来、調光器によって位相制御された交流電圧の位相角（導通角）を検出し、検出した位相角に応じて光源（例えば、照明用のＬＥＤ）を調光するように構成された点灯装置が提供されている。この種の点灯装置は、交流電圧が印加されない期間に調光器に動作用の電流（いわゆるブリーダ電流）を流すためのブリーダ回路を備えている（例えば、特許文献１参照）。
【０００３】
特許文献１記載の従来例では、ブリーダ電流の少なくとも一部を半導体集積回路等に供給することにより、無駄な電力消費を抑えていた。
【先行技術文献】
【特許文献】
【０００４】
【特許文献１】特開２０１７−１４２９６９号公報
【発明の概要】
【発明が解決しようとする課題】
【０００５】
ところで、上記従来例のようにブリーダ電流を半導体集積回路等に供給する場合、交流電圧が半導体集積回路等の電源電圧を下回る期間（例えば、交流電圧を全波整流した脈流電圧の谷部）にブリーダ電流を流せなくなる可能性がある。
【０００６】
本開示の目的は、ブリーダ電流を有効利用しつつブリーダ電流を流す期間の延長を図ることができる点灯装置及び照明器具を提供することである。
【課題を解決するための手段】
【０００７】
本開示の一態様に係る点灯装置は、交流電圧から整流された入力電圧を直流電圧に変換し、前記直流電圧を光源に出力する点灯回路と、前記入力電圧の導通角を検出し、前記導通角に対応した調光信号を出力する検出回路とを備える。前記点灯装置は、前記点灯回路から前記光源に供給する負荷電流を前記調光信号に応じて調整するように前記点灯回路を制御する制御回路を備える。前記点灯装置は、前記制御回路が動作するために必要な制御電圧を前記入力電圧から生成する制御電源回路と、ブリーダ電流を流すブリーダ回路とを備える。前記ブリーダ回路は、前記入力電圧が前記制御電圧を下回っているときにブリーダ電流を流す。
【０００８】
本開示の一態様に係る照明器具は、点灯装置と、前記点灯装置によって点灯させられる光源と、少なくとも前記光源を保持する器具本体とを備える。
【発明の効果】
【０００９】
本開示の点灯装置及び照明器具は、ブリーダ電流を有効利用しつつブリーダ電流を流す期間の延長を図ることができるという効果がある。
【図面の簡単な説明】
【００１０】
【図１】図１は、本開示の実施形態に係る点灯装置の回路構成図である。
【図２】図２は、同上の点灯装置における制御電源回路とブリーダ回路の動作を説明するためのタイムチャートである。
【図３】図３は、同上の点灯装置の変形例の回路構成図である。
【図４】図４Ａは、本開示の実施形態に係る照明器具の断面図である。図４Ｂは、本開示の別の実施形態に係る照明器具の断面図である。
【発明を実施するための形態】
【００１１】
本開示の実施形態に係る点灯装置及び照明器具について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
実施形態に係る点灯装置１（以下、点灯装置１と略す。）は、図１に示すように、一対の入力端子１８Ａ、１８Ｂと、一対の出力端子１８Ｃ、１８Ｄを備える。
【００１３】
一方の入力端子１８Ａ（第１入力端子１８Ａと呼ぶ場合がある。）は、調光器９を介して交流電源８の正極（HOT側の端子）と電気的に接続される。他方の入力端子１８Ｂ（第２入力端子１８Ｂと呼ぶ場合がある。）は、交流電源８の負極（COLD側の端子）と電気的に接続される。
【００１４】
一方の出力端子１８Ｃ（第１出力端子１８Ｃと呼ぶ場合がある。）は、ＬＥＤモジュール２の正極と電気的に接続される。他方の出力端子１８Ｄ（第２出力端子１８Ｄと呼ぶ場合がある。）は、ＬＥＤモジュール２の負極と電気的に接続される。
【００１５】
ＬＥＤモジュール２は、複数のＬＥＤ（Light Emitting Diode）２０が順方向に電気的に直列接続されて構成されている。これら複数のＬＥＤ２０のそれぞれは、例えば、照明用白色ＬＥＤである。ただし、ＬＥＤモジュール２において、複数のＬＥＤ２０が電気的に直列接続された複数のアームが互いに電気的に並列接続されて構成されても構わない。
【００１６】
調光器９は、例えば、双方向三端子サイリスタ（トライアックとも呼ばれる。）を用いて交流電源８から点灯装置１に供給される交流電圧を位相制御する。調光器９は、例えば、回転式の操作ハンドルを有し、操作ハンドルの基準位置からの回転角に応じた位相角で交流電圧を位相制御する。あるいは、調光器９は、スライド式の操作ハンドルを有し、操作ハンドルの基準位置からの移動距離に応じた位相角で交流電圧を位相制御してもよい。操作ハンドルの回転角（例えば、０°から３００°までの任意の角度）又は移動距離と、ＬＥＤモジュール２の調光レベルとが一対一に対応付けられている。なお、調光レベルは、ＬＥＤモジュール２に定格電流を流したときの光量を１００％としたときの、ＬＥＤモジュール２に流す電流の比率を表している。
【００１７】
点灯装置１は、点灯回路１０、第１整流器１１、検出回路１２、制御回路１３、制御電源回路１４、ブリーダ回路１５及び第２整流器１６を備える。
【００１８】
第１整流器１１及び第２整流器１６は、それぞれダイオードブリッジで構成される。第１整流器１１の一方の交流入力端子と第２整流器１６の一方の交流入力端子が第１入力端子１８Ａと電気的に接続されている。第１整流器１１の他方の交流入力端子と第２整流器１６の他方の交流入力端子が第２入力端子１８Ｂと電気的に接続されている。第１整流器１１及び第２整流器１６は、それぞれ第１入力端子１８Ａと第２入力端子１８Ｂに入力される交流電圧を全波整流し、一対の脈流出力端子から脈流電圧（入力電圧Ｖ１）を出力する。なお、入力電圧Ｖ１は、調光器９によって位相制御される場合がある。
【００１９】
点灯回路１０は、例えば、SEPIC（Single Ended Primary Inductor Converter）のような昇降圧型のＤＣ／ＤＣコンバータである。ただし、点灯回路１０は、SEPIC以外のＤＣ／ＤＣコンバータ、例えば、昇圧チョッパ回路又は降圧チョッパ回路などでもよい。点灯回路１０の一対の出力端子は、第１出力端子１８Ｃ及び第２出力端子１８Ｄと一つずつ電気的に接続されている。したがって、点灯回路１０から出力される直流電流（負荷電流Ｉｏ）が第１出力端子１８Ｃ及び第２出力端子１８Ｄを介してＬＥＤモジュール２に供給されることにより、ＬＥＤモジュール２が点灯する。
【００２０】
検出回路１２は、調光器９によって位相制御された入力電圧Ｖ１の導通角を検出し、導通角に対応した調光信号Ｓ１を制御回路１３に出力する。検出回路１２は、例えば、入力電圧Ｖ１を抵抗分圧した電圧を積分することにより、入力電圧Ｖ１の導通角に比例した直流電圧を生成し、当該直流電圧を調光信号Ｓ１として制御回路１３に出力する。つまり、調光信号Ｓ１は、入力電圧Ｖ１の導通角に比例した直流電圧である。
【００２１】
制御回路１３は、例えば、ＤＣ／ＤＣコンバータを制御するように構成された集積回路である。制御回路１３は、点灯回路１０が有するスイッチング素子をスイッチングし、かつ、スイッチングにおけるデューティ比を調整することによって負荷電流Ｉｏを調整してＬＥＤモジュール２を調光する。
【００２２】
制御電源回路１４は、第１スイッチング素子Ｑ１、ツェナーダイオードＺＤ、平滑コンデンサＣ１、ダイオードＤ１、三つの抵抗器Ｒ１〜Ｒ３及び定電圧回路１４０を有する。第１スイッチング素子Ｑ１は、エンハンスメント形のｎチャネルＭＯＳＦＥＴ（Metal-Oxide-Semiconductor）である。第１スイッチング素子Ｑ１のドレインは、抵抗器Ｒ３を介して第２整流器１６の高電位側の脈流出力端子と電気的に接続されている。第１スイッチング素子Ｑ１のソースは、ダイオードＤ１のアノードと電気的に接続されている。第１スイッチング素子Ｑ１のゲートは、抵抗器Ｒ１を介して第２整流器１６の高電位側の脈流出力端子及びツェナーダイオードＺＤ１のカソードと電気的に接続されている。ツェナーダイオードＺＤ１のアノードは、抵抗器Ｒ２を介して第２整流器１６の低電位側の脈流出力端子と電気的に接続されている。ダイオードＤ１のカソードは平滑コンデンサＣ１の高電位側の端子及び定電圧回路１４０の入力端子と電気的に接続されている。平滑コンデンサＣ１の低電位側の端子は、第２整流器１６の低電位側の脈流出力端子及び定電圧回路１４０のグランド端子と電気的に接続されている。定電圧回路１４０は、例えば、三端子レギュレータである。定電圧回路１４０は、平滑コンデンサＣ１の両端電圧を安定化（定電圧化）した制御電圧Ｖccを点灯回路１０、検出回路１２、制御回路１３などに供給する。ただし、定電圧回路１４０は三端子レギュレータに限定されない。
【００２３】
ツェナーダイオードＺＤは、入力電圧Ｖ１がツェナー電圧Ｖｚｄ以上のときに導通する。ツェナーダイオードＺＤが導通している場合、第１スイッチング素子Ｑ１のゲートにツェナー電圧Ｖｚｄが印加されることによって第１スイッチング素子Ｑ１がオンする。第１スイッチング素子Ｑ１がオンしている場合、第１スイッチング素子Ｑ１及びダイオードＤ１を介して平滑コンデンサＣ１で平滑された電圧が定電圧回路１４０に入力される。その結果、定電圧回路１４０から制御電圧Ｖccが出力される。なお、ツェナー電圧Ｖｚｄは、制御電圧Ｖccに第１スイッチング素子Ｑ１のしきい値電圧（第１スイッチング素子Ｑ１がオンするために必要なゲート・ソース間電圧）を加えた電圧以上である。
【００２４】
また、ツェナーダイオードＺＤは、入力電圧Ｖ１がツェナー電圧Ｖｚｄ未満のときに不導通となる。ツェナーダイオードＺＤが不導通の場合、第１スイッチング素子Ｑ１のゲートに入力電圧Ｖ１が印加される。ここで、第１スイッチング素子Ｑ１のゲート・ソース間電圧は、入力電圧Ｖ１から平滑コンデンサＣ１の両端電圧（制御電圧Ｖccとほぼ等しい電圧）を差し引いた電圧となる。したがって、入力電圧Ｖ１が、平滑コンデンサＣ１の両端電圧に第１スイッチング素子Ｑ１のしきい値電圧を加えた電圧未満の場合、第１スイッチング素子Ｑ１がオフする。ただし、定電圧回路１４０は、平滑コンデンサＣ１の両端電圧が動作下限以下になるまでは制御電圧Ｖccを出力することができる。
【００２５】
ブリーダ回路１５は、第２スイッチング素子Ｑ２、抵抗器Ｒ４及びコンパレータＣＰを有する。第２スイッチング素子Ｑ２は、エンハンスメント形のｎチャネルＭＯＳＦＥＴである。第２スイッチング素子Ｑ２のドレインが抵抗器Ｒ４の第１端と電気的に接続されている。抵抗器Ｒ４の第２端が第１スイッチング素子Ｑ１のソースと電気的に接続されている。第２スイッチング素子Ｑ２のソースが第２整流器１６の低電位側の脈流出力端子と電気的に接続されている。第２スイッチング素子Ｑ２のゲートがコンパレータＣＰの出力端子と電気的に接続されている。コンパレータＣＰのマイナス入力端子が高電位側の脈流出力端子と電気的に接続されている。コンパレータＣＰのプラス端子に制御電圧Ｖccが入力されている。すなわち、入力電圧Ｖ１が制御電圧Ｖcc以上のとき、コンパレータＣＰの出力がローレベルとなって第２スイッチング素子Ｑ２がオフする。また、入力電圧Ｖ１が制御電圧Ｖcc未満のとき、コンパレータＣＰの出力がハイレベルとなって第２スイッチング素子Ｑ２がオンする。
【００２６】
しかして、ブリーダ回路１５は、入力電圧Ｖ１が制御電圧Ｖcc未満のときに第２スイッチング素子Ｑ２をオンすることにより、第１スイッチング素子Ｑ１のソースの電位を下げる。第１スイッチング素子Ｑ１のソースの電位が下がると、第１スイッチング素子Ｑ１のゲート・ソース間電圧がしきい値電圧を超えるので、第１スイッチング素子Ｑ１がオンする。その結果、ブリーダ回路１５は、入力電圧Ｖ１が制御電圧Ｖcc未満のときにブリーダ電流Ｉｂ（調光器９の動作用の電流）を流すことができる。ただし、入力電圧Ｖ１がしきい値電圧未満に低下したら、第１スイッチング素子Ｑ１はオフする。
【００２７】
次に、図２のタイムチャートを参照して、制御電源回路１４とブリーダ回路１５の動作を詳細に説明する。図２の一段目は入力電圧Ｖ１の谷部の波形を示している。図２の二段目は第２スイッチング素子Ｑ２のオン・オフの状態を示している。図２の三段目は第１スイッチング素子Ｑ１のオン・オフの状態を示している。図２の四段目はブリーダ電流Ｉｂの波形を示している。また、図２の横軸は時間ｔを示している。
【００２８】
まず、入力電圧Ｖ１が第１しきい値電圧Ｖth１以上のとき（時間ｔ＝ｔ１〜ｔ２）、ツェナーダイオードＺＤが導通して第１スイッチング素子Ｑ１がオンするので、制御電源回路１４は、交流電源８から供給される交流電圧から制御電圧Ｖccを生成して出力する。このとき、ブリーダ回路１５は、コンパレータＣＰの出力をローレベルとすることで第２スイッチング素子Ｑ２をオフするので、ブリーダ電流Ｉｂを流さない。なお、第１しきい値電圧Ｖth１は、おおよそ制御電圧Ｖccに等しい電圧である。より詳細には、第１しきい値電圧Ｖth１は、制御電圧Ｖccに第２スイッチング素子Ｑ２のしきい値電圧を加えた電圧よりも僅かに高い電圧であることが好ましい。
【００２９】
入力電圧Ｖ１が低下して第１しきい値電圧Ｖth１を下回ると（時間ｔ＝ｔ２）、ブリーダ回路１５は、第２スイッチング素子Ｑ２をオンすることによって第１スイッチング素子Ｑ１をオン状態に維持する。そして、ブリーダ回路１５は、交流電源８から調光器９を介して第２スイッチング素子Ｑ２にブリーダ電流Ｉｂを流す。なお、ブリーダ電流Ｉｂは、入力電圧Ｖ１の低下とともに減少する（時間ｔ＝ｔ２〜ｔ３）。
【００３０】
入力電圧Ｖ１が更に低下して第２しきい値電圧Ｖth２を下回ると（時間ｔ＝ｔ３）、第２スイッチング素子Ｑ２がオフして第１スイッチング素子Ｑ１がオフする。そして、ブリーダ回路１５は、第２スイッチング素子Ｑ２をオフするのでブリーダ電流Ｉｂを流さない（時間ｔ＝ｔ３〜ｔ４）。なお、第２しきい値電圧Ｖth２は、おおよそ第２スイッチング素子Ｑ２のしきい値電圧に等しい電圧であることが好ましい。
【００３１】
入力電圧Ｖ１がゼロクロス点を過ぎて第２しきい値電圧Ｖth２まで上昇すると（時間ｔ＝ｔ４）、ブリーダ回路１５は、第２スイッチング素子Ｑ２をオンすることによって第１スイッチング素子Ｑ１をオンし、第２スイッチング素子Ｑ２にブリーダ電流Ｉｂを流す。入力電圧Ｖ１が更に上昇して第１しきい値電圧Ｖth１以上になると（時間ｔ＝ｔ５）、第２スイッチング素子Ｑ２がオフし、ブリーダ回路１５はブリーダ電流Ｉｂを流さなくなる。
【００３２】
さらに、入力電圧Ｖ１が第１しきい値電圧Ｖth１以上のとき（時間ｔ＝ｔ５〜ｔ６）、ツェナーダイオードＺＤが導通して第１スイッチング素子Ｑ１がオンするので、制御電源回路１４は、交流電源８から供給される交流電圧から制御電圧Ｖccを生成して出力する。
【００３３】
上述のように点灯装置１では、制御電源回路１４が入力電圧Ｖ１から制御電圧Ｖccを生成し、入力電圧Ｖ１が制御電圧Ｖccを下回っているときにブリーダ回路１５がブリーダ電流Ｉｂを流している。したがって、点灯装置１は、入力電圧Ｖ１の谷部に流す電流の一部で制御電源回路１４に制御電圧Ｖccを生成させ、かつ、入力電圧Ｖ１の谷部において電流（ブリーダ電流Ｉｂ）を流す期間を長くすることができる。そのため、点灯装置１は、ブリーダ電流を有効利用しつつブリーダ電流Ｉｂを流す期間の延長を図ることができる。
【００３４】
次に、実施形態に係る点灯装置１の変形例について、図３の回路図を参照して説明する。ただし、変形例の点灯装置１の回路構成のうち、実施形態の点灯装置１の回路構成と共通する回路構成には同一の符号を付して適宜説明を省略する。
【００３５】
変形例の点灯装置１は、ブリーダ回路１７の回路構成が実施形態の点灯装置１と異なる。ブリーダ回路１７は、第３スイッチング素子Ｑ３、抵抗器Ｒ５及びコンパレータＣＰ２を有する。第３スイッチング素子Ｑ３は、エンハンスメント形のｎチャネルＭＯＳＦＥＴである。第３スイッチング素子Ｑ３のドレインが抵抗器Ｒ５の第１端と電気的に接続されている。抵抗器Ｒ５の第２端が第２整流器１６の高電位側の脈流出力端子と電気的に接続されている。第３スイッチング素子Ｑ３のソースが第２整流器１６の低電位側の脈流出力端子と電気的に接続されている。第３スイッチング素子Ｑ３のゲートがコンパレータＣＰ２の出力端子と電気的に接続されている。コンパレータＣＰ２のマイナス入力端子が高電位側の脈流出力端子と電気的に接続されている。コンパレータＣＰ２のプラス端子に制御電圧Ｖccが入力されている。すなわち、入力電圧Ｖ１が制御電圧Ｖcc以上のとき、コンパレータＣＰ２の出力がローレベルとなって第３スイッチング素子Ｑ３がオフする。また、入力電圧Ｖ１が制御電圧Ｖcc未満のとき、コンパレータＣＰ２の出力がハイレベルとなって第３スイッチング素子Ｑ３がオンする。
【００３６】
しかして、変形例の点灯装置１におけるブリーダ回路１７は、入力電圧Ｖ１が制御電圧Ｖcc未満のときに第３スイッチング素子Ｑ３をオンすることにより、制御電源回路１４を介さずにブリーダ電流Ｉｂを流すことができる。したがって、変形例の点灯装置１も実施形態の点灯装置１と同様に、ブリーダ電流を有効利用しつつブリーダ電流Ｉｂを流す期間の延長を図ることができる。さらに、変形例の点灯装置１では、ブリーダ電流Ｉｂが第１スイッチング素子Ｑ１に流れないため、ブリーダ電流Ｉｂによる損失の低減を図ることができる。
【００３７】
なお、ブリーダ回路１７は、第１入力端子１８Ａ及び第２入力端子１８Ｂと第１整流器１１の間に設けられても構わない。あるいは、ブリーダ回路１７は、第１整流器１１と点灯回路１０の間に設けられても構わない。
【００３８】
次に、図４Ａ及び図４Ｂを参照して、本開示の実施形態に係る照明器具を説明する。
【００３９】
図４Ａに示す照明器具６は、天井仕上げ材Ｓに埋込配設されるダウンライトであって、ＬＥＤモジュール２を内蔵した器具本体６０と、天井仕上げ材Ｓの裏側（上側）に設置される点灯装置１とを備える。
【００４０】
器具本体６０は、アルミダイカストなどの金属材料により下面が開口した有底円筒形状に形成されている。器具本体６０の内底面にＬＥＤモジュール２が取り付けられる。器具本体６０の下面開口が円板状のカバー６１で閉塞される。なお、カバー６１は、ガラスやポリカーボネートなどの透光性材料で形成される。
【００４１】
点灯装置１は、矩形箱状に形成された金属製のケースに収納されている。また、点灯装置１は、電源ケーブル６２とコネクタ６３を介してＬＥＤモジュール２と電気的に接続される。
【００４２】
一方、図４Ｂに示す照明器具７は、天井仕上げ材Ｓに埋込配設されるダウンライトであって、ＬＥＤモジュール２と点灯装置１を器具本体７０内に収納して構成される。
【００４３】
器具本体７０は、アルミダイカストなどの金属材料により下面が開口した有底円筒形状に形成されている。器具本体７０の内部空間は、円板状の仕切板７１によって上下に分割されている。また、器具本体７０の下面開口は、ガラスやポリカーボネートなどの透光性材料で形成される円板状のカバー７２で閉塞される。
【００４４】
ＬＥＤモジュール２は、仕切板７１の下面側に配設される。また、点灯装置１は、仕切板７１の上部空間に収納される。点灯装置１は、電源ケーブル７３によってＬＥＤモジュール２と電気的に接続される。
【００４５】
なお、本開示の実施形態に係る照明器具はダウンライトに限定されず、例えば、スポットライト又はシーリングライトなどのダウンライト以外の照明器具であっても構わない。
【００４６】
上述のように第１の態様に係る点灯装置（１）は、交流電圧から整流された入力電圧（Ｖ１）を直流電圧に変換し、直流電圧を光源（ＬＥＤモジュール２）に出力する点灯回路（１０）を備える。第１の態様に係る点灯装置（１）は、入力電圧（Ｖ１）の導通角を検出し、導通角に対応した調光信号（Ｓ１）を出力する検出回路（１２）を備える。第１の態様に係る点灯装置（１）は、点灯回路（１０）から光源に供給する負荷電流（Ｉｏ）を調光信号（Ｓ１）に応じて調整するように点灯回路（１０）を制御する制御回路（１３）を備える。第１の態様に係る点灯装置（１）は、制御回路（１３）が動作するために必要な制御電圧（Ｖcc）を入力電圧（Ｖ１）から生成する制御電源回路（１４）と、ブリーダ電流（Ｉｂ）を流すブリーダ回路（１５；１７）とを備える。ブリーダ回路（１５；１７）は、入力電圧（Ｖ１）が制御電圧（Ｖcc）を下回っているときにブリーダ電流（Ｉｂ）を流す。
【００４７】
第１の態様に係る点灯装置（１）は、入力電圧（Ｖ１）の谷部に流す電流の一部で制御電源回路（１４）に制御電圧（Ｖcc）を生成させ、かつ、入力電圧（Ｖ１）の谷部において電流（ブリーダ電流Ｉｂ）を流す期間を長くすることができる。そのため、第１の態様に係る点灯装置（１）は、ブリーダ電流を有効利用しつつブリーダ電流（Ｉｂ）を流す期間の延長を図ることができる。
【００４８】
第２の態様に係る点灯装置（１）は、第１の態様との組合せにより実現され得る。第２の態様に係る点灯装置（１）において、制御電源回路（１４）は、電圧制御型の半導体スイッチング素子（第１スイッチング素子Ｑ１）を有することが好ましい。制御電源回路（１４）は、入力電圧（Ｖ１）が所定の下限値（ツェナー電圧Ｖｚｄ）以上のときに下限値に等しい電圧を半導体スイッチング素子に印加して半導体スイッチング素子をオンさせる制御素子（ツェナーダイオードＺＤ）を有することが好ましい。ブリーダ回路（１５）は、入力電圧（Ｖ１）が制御電圧（Ｖcc）を下回ったときに半導体スイッチング素子に印加する電圧を上昇させて半導体スイッチング素子をオンさせることが好ましい。
【００４９】
第２の態様に係る点灯装置（１）は、制御電源回路（１４）が制御電圧（Ｖcc）を生成可能な期間を更に延長することができる。
【００５０】
第３の態様に係る点灯装置（１）は、第１の態様との組合せにより実現され得る。第３の態様に係る点灯装置（１）において、ブリーダ回路（１７）は、制御電源回路（１４）に対して電気的に並列接続されたスイッチング素子（第３スイッチング素子Ｑ３）を有することが好ましい。ブリーダ回路（１７）は、入力電圧（Ｖ１）が制御電圧（Ｖcc）を下回ったときにスイッチング素子をオンするコンパレータ（ＣＰ２）を有することが好ましい。
【００５１】
第３の態様に係る点灯装置（１）は、ブリーダ電流（Ｉｂ）による損失の低減を図ることができる。
【００５２】
第４の態様に係る照明器具（６：７）は、第１〜第３の態様のいずれかの点灯装置（１）と、点灯装置（１）によって点灯させられる光源と、少なくとも光源を保持する器具本体（６０：７０）とを備える。
【００５３】
第４の態様に係る照明器具（６：７）は、ブリーダ電流を有効利用しつつブリーダ電流（Ｉｂ）を流す期間の延長を図ることができる。
【符号の説明】
【００５４】
１  点灯装置
２  ＬＥＤモジュール（光源）
６  照明器具
７  照明器具
１０  点灯回路
１２  検出回路
１３  制御回路
１４  制御電源回路
１５  ブリーダ回路
１７  ブリーダ回路
６０  器具本体
７０  器具本体
Ｑ１  第１スイッチング素子（半導体スイッチング素子）
Ｑ２  第２スイッチング素子（スイッチング素子）
Ｑ３  第３スイッチング素子（スイッチング素子）
ＺＤ  ツェナーダイオード（制御素子）
ＣＰ２  コンパレータ
Ｖ１  入力電圧
Ｖcc  制御電圧
Ｖｚｄ  ツェナー電圧（下限値）
Ｉｏ  負荷電流
Ｉｂ  ブリーダ電流
Ｓ１  調光信号
【図１】
2020140903.tif 000003
【図２】
2020140903.tif 000004
【図３】
2020140903.tif 000005
【図４】
2020140903.tif 000006